(57)【要約】【課題】被剖検体から発生するホルムアルデヒドガスを解剖室内に拡散させることなく除去する解剖台を提供する。【課題の解決手段】解剖台１は、解剖台本体１ａ上部に設ける作業台３上に載置した被剖検体から発生する有害なホルムアルデヒドガス（ａ）を通過させて有害成分であるホルムアルデヒドを溶融して除去するための処理水を循環散水し、ホルムアルデヒドを分解する薬液を前記処理水に供給するようになした処理部９を設け、清浄化した空気（ｃ）を解剖台本体１ａ外部に排気するように構成する。【選択図】図１
2010194206.tif 000002
【特許請求の範囲】
【請求項１】
解剖台本体上部に設けた作業台上に載置した被剖検体から発生するホルムアルデヒドガスを導入する処理部を解剖台本体内に設け、この処理部内で前記ホルムアルデヒドを分解する薬液を混入した処理水を循環し、処理水をホルムアルデヒドガスと接触させることによって、前記処理水にホルムアルデヒドを溶融させて分解し、ホルムアルデヒドを除去した空気を解剖台本体から解剖室内に排気するように構成した解剖台。
【請求項２】
解剖台本体上部設けた作業台と、前記解剖台本体上部の縁枠に設け、作業台に載置した被剖検体から発生するホルムアルデヒドガスを吸引するための吸気口と、解剖台本体下部に設け前記吸気口に連通する空気吸引部と、この空気吸引部により吸引された前記ホルムアルデヒドガスと循環する処理水を接触させることによって、前記処理水にホルムアルデヒドを溶融させるとともに、前記ホルムアルデヒドを分解する薬液を前記処理水に供給するようになした処理部と、この処理部から送られた空気中に残留するホルムアルデヒドを除去するためのフィルター部と、このフィルター部を通った清浄化空気を解剖台本体から解剖室内に排気する排気口から構成した解剖台。
【請求項３】
処理部は、処理水を貯留するとともにホルムアルデヒドガスが通過するように形成した処理部本体と、処理部本体内に設け通過するホルムアルデヒドガスに処理水を散水する散水部材と、処理部本体内に設け貯留した処理水を前記散水部材に再度供給するようになした循環給水部材を有することを特徴とする請求項２に記載の解剖台。
【請求項４】
フィルター部は光触媒を用いた光触媒フィルターを備えることを特徴とする請求項２又は請求項３に記載の解剖台。
【発明の詳細な説明】
【技術分野】
【０００１】
本発明は、解剖実習中などに被剖検体から発生する有害なホルムアルデヒドガスを除去する機能を有する解剖台に関するものである。
【背景技術】
【０００２】
一般に被剖検体はホルマリンで防腐処理されているため、解剖実習中には、実習生などの人体に有害なホルムアルデヒドガスが曝露する危険がある。従来、ホルムアルデヒドガスを除去する技術としては、解剖台の四周内側に吸気開口を設け、被剖検体から発生したホルムアルデヒドガスを前記吸気開口から排気ブロワの吸引力により吸引し、吸気ボックスを経て外部に排気するものが提案されている（特許文献１参照）。
【先行技術文献】
【特許文献】
【０００３】
【特許文献１】特開２００６−０７５５９２号公報
【発明の概要】
【発明が解決しようとする課題】
【０００４】
上記従来の解剖台は、解剖室の外部にホルムアルデヒドガスを排気するので、排気設備に多大な設備費がかかるうえ、外気を汚染するという問題がある。本発明は、前記問題を解決することを課題とし、被剖検体から発生するホルムアルデヒドガスの有害成分を効果的に分解、除去し、浄化された空気を解剖室内に排気することが可能な解剖台を提供することを目的とする。
【課題を解決するための手段】
【０００５】
本発明の請求項１に係る本発明の解剖台は、上記目的を達成するために、解剖台本体上部に設けた作業台上に載置した被剖検体から発生するホルムアルデヒドガスを導入する処理部を解剖台本体内に設け、この処理部内で前記ホルムアルデヒドを分解する薬液を混入した処理水を循環し、処理水をホルムアルデヒドガスと接触させることによって、前記処理水にホルムアルデヒドを溶融させて分解し、ホルムアルデヒドを除去した空気を解剖台本体から解剖室内に排気するように構成したものである。
【０００６】
また、請求項２に係る本発明の解剖台は、解剖台本体上部に設けた作業台と、前記解剖台本体上部の縁枠に設け、作業台に載置した被剖検体から発生するホルムアルデヒドガスを吸引するための吸気口と、解剖台本体下部に設け前記吸気口に連通する空気吸引部と、この空気吸引部により吸引された前記ホルムアルデヒドガスと循環する処理水を接触させることによって、前記処理水にホルムアルデヒドを溶融させるとともに、前記ホルムアルデヒドを分解する薬液を前記処理水に供給するようになした処理部と、この処理部から送られた空気中に残留するホルムアルデヒドを除去するためのフィルター部と、このフィルター部を通った清浄化空気を解剖台本体から解剖室内に排気する排気口から構成したものである。
【０００７】
また、請求項３に係る本発明の解剖台は、請求項２の構成を備え、処理部は、処理水を貯留するとともにホルムアルデヒドガスが通過するように形成した処理部本体と、処理部本体内に設け通過するホルムアルデヒドガスに処理水を散水する散水部材と、処理部本体内に設け貯留した処理水を前記散水部材に再度供給するようになした循環給水部材を有することを特徴とするものである。
【０００８】
また、請求項４に係る本発明の解剖台は、請求項２又は請求項３に係る発明の構成を備え、フィルター部は光触媒を用いた光触媒フィルターを備えることを特徴とするものである。
【発明の効果】
【０００９】
請求項１に係る本発明によれば、解剖台の作業台上に載置した被剖検体から発生するホルムアルデヒドガスを解剖台本体内の処理部に導入し、処理部にて、ホルムアルデヒドを処理水に溶融し、処理水中のホルムアルデヒドを薬液で分解するので、解剖台本体から排気される空気は清浄化され、前記処理水は循環使用することができるという効果を奏する。
【００１０】
また、請求項２に係る本発明によれば、解剖台の作業台上に載置した被剖検体から発生するホルムアルデヒドガスを解剖台本体内に吸引し、この本体内に設けた処理部にて、ホルムアルデヒドを処理水中に溶融したうえ、フィルター部を通すので、解剖室内に排気される空気は確実に清浄化されるとともに、処理水中のホルムアルデヒドは薬液で分解されるので、前記処理水も循環使用することができるという効果を奏する。
【００１１】
また、請求項３に係る本発明によれば、請求項２に係る発明の効果に加えて、処理部に散水部材と循環給水部材を設けたので、ホルムアルデヒドと処理水との接触効率を高め、処理効果を高めるという効果を奏する。
【００１２】
また、請求項４に係る本発明によれば、請求項２又は請求項３に係る発明の効果に加えて、処理部でホルムアルデヒドを除去してなる清浄化空気を、さらに光触媒フィルターに通して排気するので、解剖室内に排気される空気はより一層清浄なものになるという効果を奏する。
【図面の簡単な説明】
【００１３】
【図１】図１は上部を縦断してその内部を示す解剖台の概略的な正面図。
【図２】図２は平面図。
【図３】図３は一部を縦断してその内部を示す処理部の拡大正面図。
【発明を実施するための形態】
【００１４】
以下に、本発明の好適な実施形態を添付図面の図１〜図３に基づいて詳細に説明する。
【００１５】
図１及び図２に示すように、解剖台１は、解剖台本体１ａ上部の縁枠２にその四辺を連繋した作業台３と、前記縁枠２全体に設け、作業台３上で解剖を受ける被剖検体（図示せず）から発生する有害なホルムアルデヒドガス（ａ）を解剖台本体１ａ内に吸引するための吸気口である吸い込みグリル４とを備える。前記縁枠２は、解剖台本体１ａの上縁から作業台３の各辺に向って斜め下方に傾斜している。また、前記吸い込みグリル４は、多数の透孔４ａからなり、前記作業台３は、一端側から他端側に向けて液体や水が流れるように緩く傾斜させてあって、前記他端側には、流れてきた前記液体や水などを排出する排水口５を設けてある。
【００１６】
図１及び図３に示すように、解剖台本体１ａの下部内側には、前記吸い込みグリル４の各透孔４ａに吸気空間６ａとダクト６ｂを介して連通する吸引ファン７ａを内蔵する空気吸引部７と、この空気吸引部７から送られたホルムアルデヒドガス（ａ）に処理水（Ａ）を接触させることによって、前記処理水（Ａ）にホルムアルデヒドを溶融させて除去するとともに、溶融した前記ホルムアルデヒドを分解する薬液、例えばクロロアミンを処理水（Ａ）に供給するための薬液供給部材たる薬液供給パイプ８を備えた処理部９と、この処理部９からダクト１０を経て送られた第１次清浄化空気（ｂ）中に僅かに残留するホルムアルデヒドを分解してさらに清浄化し、第２次清浄化空気（ｃ）として排気するための光触媒フィルター１１ａを備えたフィルター部１１とを配置する。このフィルター部１１は、前記光触媒フィルター１１ａとともにアフターフィルター１１ｂを備えるもので、このアフターフィルター１１ｂは、前記光触媒フィルター１１ａを通過した第２次清浄化空気（ｃ）に含まれる塵埃などを取り除くためのものである。また、解剖台本体１ａ下部には、前記フィルター部１１を通過した第２次清浄化空気（ｃ）を解剖台本体１ａから解剖室内に排気する排気口１２を設ける。
【００１７】
図３に示すように、処理部９は、処理水（Ａ）を貯留可能に形成するとともにホルムアルデヒドガス（ａ）が内部を通過するように形成した処理部本体９ａと、通過するホルムアルデヒドガス（ａ）に処理水（Ａ）を散水する散水部材たる散水パイプ１３と、散水後に貯留した処理水（Ａ）を前記散水パイプ１３に再度供給して循環するようになした、循環パイプ１４ａと揚水ポンプ１４ｂからなる循環給水部材１４とから構成する。前記散水パイプ１３は、前記処理部本体９ａの内側上部に設け、下面に多数の散水孔（図示せず）を有する複数のパイプ材からなり、前記循環給水部材１４により供給された処理水（Ａ）を前記散水孔から、その下を通過するホルムアルデヒドガス（ａ）に向けて霧状に散水することによって、ホルムアルデヒドと前記処理水（Ａ）との接触の機会を多くし、効果的にホルムアルデヒドを処理水（Ａ）に溶融させるように構成してある。なお、薬液たるクロロアミンは、処理水（Ａ）１０リッターに対して１００ｃｃ加えるとよく、１週間位は処理水（Ａ）を変えることなく循環して処理可能である。
【００１８】
図１及び図３に示すように、処理部本体９ａの外面には、前記薬液供給パイプ８のほか、前記処理水（Ａ）の水位を外部から確認するための水位計１５を設ける。また、処理部本体９ａ底部には、貯留した処理水（Ａ）を必要に応じて排水するための排水パイプ１６を設け、解剖台本体１ａの底部四隅には、解剖台１を移動するための自在キャスター１７が設けてある。さらに、前記処理部本体９ａの前面には、前記散水部材１３にほぼ対応する部分に、内部を視認可能とするための窓部１８を設け、前記処理部本体９ａの背面側外部には、空気吸引部７の吸引ファン７ａを回転するインバータ付きモータに連繋した、吸引風量を調整するための風量調節部材７ｂが設けてある。
【００１９】
以上のように構成した解剖台１によるホルムアルデヒドガスの除去動作について説明する。先ず、ホルマリンで防腐処理を施した被剖検体（図示せず）の解剖作業にあたって、風量調節部材７ｂで所定の風量に設定して吸引ファン７ａを駆動し、作業台３上の被剖検体から発生するホルムアルデヒドガス（ａ）を吸気口である吸い込みグリル４の多数の透孔４ａから解剖台本体１ａ内部に吸引すると、この吸引されたホルムアルデヒドガス（ａ）は、吸気空間６ａからダクト６ｂ及び空気吸引部７を経て処理部９内を通過する。この通過中に、ホルムアルデヒドガス（ａ）に散水部材１３から処理水（Ａ）が散水され、ホルムアルデヒドが、循環する処理水（Ａ）に効率的に接触して溶融し、除去される。一方、前記処理水（Ａ）は、薬液供給パイプ８から供給されたホルムアルデヒドを分解する作用をもつ薬液たるクロロアミンの作用でホルムアルデヒドの溶融濃度が短時間で高濃度化することはない。さらに、前記処理部９においてホルムアルデヒドがほぼ除去された第１次清浄化空気（ｂ）は、ダクト１０を通ってフィルター部１１に移動し、ここに収納されている光触媒フィルター１１ａとアフターフィルター１１ｂによりさらに清浄化され、第２次清浄化空気（ｃ）となって排気口１２から解剖室内に排気される。なお、前記第１次清浄化空気（ｂ）には、僅かなホルムアルデヒドガスが含まれるが、人体に悪影響を及ぼす程ではない。前記処理水（Ａ）は、含まれるホルムアルデヒドが薬液たるクロロアミンにより分解されるので、その溶融濃度が高濃度化しにくく長時間使用することが可能であるが、前述したように、１週間程度で前記排水パイプ１６から排水して新たな処理水（Ａ）を供給することが望ましい。
【００２０】
なお、本発明は上記実施形態になんら限定されるものではなく、例えば、光触媒フィルター１１ａを備えたフィルター部１１はあえて設けなくてもよい。また、処理部９において、処理水（Ａ）とホルムアルデヒドガス（ａ）を接触させる手段は前記実施形態のような散水部材１３に限定されない。
【符号の説明】
【００２１】
１    解剖台
２    縁枠
３    作業台
４    吸い込みグリル
４ａ    透孔
５    排水口
６ａ    吸気空間
６ｂ    ダクト
７    空気吸引部
７ａ    吸引ファン
７ｂ    風量調節部材
８    薬液供給パイプ
９    処理部
９ａ    処理部本体
１０    ダクト
１１    フィルター部
１１ａ    光触媒フィルター
１１ｂ    アフターフィルター
１２    排気口
１３    散水部材
１４    循環給水部材
１４ａ    循環パイプ
１４ｂ    揚水ポンプ
１５    水位計
１６    排水パイプ
１７    自在キャスター
１８    窓部
【図１】
2010194206.tif 000003
【図２】
2010194206.tif 000004
【図３】
2010194206.tif 000005